(57)【要約】      （修正有）【課題】家外の訪問者に異変を知らせて生活異常の発見が迅速にできる生活異変告知装置を提供する。【解決手段】生活異変告知装置は、１人住まいの要支援者など住人の動きを感知する人感知センサー１と、外部に対する告知部３、タイマー回路を有する制御部２、及び電源装置４を備えている。制御部２のタイマー回路は人感知センサー１が反応しなくなってからの時間を計測し、予め設定された時間経過したときに制御部２が告知部３を作動させ、告知部３は、住人が居住する家屋の窓等の屋内側に設置する。【選択図】図１
0003155936.tif 000002
【実用新案登録請求の範囲】
【請求項１】
住人の動きを感知する人感知センサーと、外部に対する告知部、タイマー回路を有する制御部、及び電源装置を備え、
前記タイマー回路は前記人感知センサーが反応しなくなってからの時間を計測し、予め設定された時間経過したときに前記制御部が前記告知部を作動させ、
前記告知部は、前記住人が居住する家屋の窓等の屋内側に設置されることを特徴とする生活異変告知装置。
【請求項２】
前記告知部は、作動したときのみ連絡先の情報を表示し、前記告知部が作動していない際は情報が表示されないよう構成されていることを特徴とする請求項１記載の生活異変告知装置。
【請求項３】
前記告知部は、異変のない通常時の安心表示および異常が発生した際の異常発生表示することを特徴とする請求項１または２記載の生活異変告知装置。
【考案の詳細な説明】
【技術分野】
【０００１】  本考案は、老人や病人等の要支援者が自宅等において健康上の異変を生じた際に、外部からその異変を察知することのできる簡易型生活異変告知装置に関する。
【背景技術】
【０００２】  老人や病人等、一人住まいの要支援者に対する異変を遠隔地より察知する方法については従来から数多く提案されている。その１つに監視カメラと無線通信装置とを組み合わせたものが知られているが、システムが高度かつ複雑で価格が高価になってしまうという問題点がある。また、カメラの場合は常に監視する人が必要となる。【０００３】  また、特開２００３−１０９１５８号公報（特許文献１）には、住宅等における水の使用を検出して生活における異変を感知しようとするシステムが示されている。このシステムの場合も上記の例と同様に、システムが高度かつ複雑で価格が高価になってしまうという問題点がある。【０００４】  一方、特開２００３−３０８５７９号公報（特許文献２）においては、人体から出ている赤外線を感知するセンサーと、人が動かなくなったことを感知してからの時間を調節する時間調節手段と、自動的に警報を出す警報手段と、装置が動作していることを示す動作表示手段とを１つのケース内に収納した簡易的な自動警報装置が示されている。この装置は、小型で設置工事費も不要であり、価格も廉価、維持費も乾電池で１年以上使用可能な簡易型警報装置である。しかしながら、この装置は警報手段をセンサーと同じケース内に収納しているため、警報が鳴ってもそれを聞き取れる範囲が狭く、一人暮らしの人の場合にはあまり有用でない。【０００５】
【特許文献１】特開２００３−１０９１５８号公報
【特許文献２】特開２００３−３０８５７９号公報
【考案の開示】
【考案明が解決しようとする課題】
【０００６】  本考案は上述の問題点に鑑みてなされたものであり、家の外部に異変を知らせて生活異常の発見が迅速にできるようにすることを課題とする。
【課題を解決するための手段】
【０００７】  上記の課題を解決するため本考案による生活異変告知装置においては、住人の動きを感知する人感知センサーと、外部に対する告知部、タイマー回路を有する制御部、及び電源装置を備え、前記タイマー回路は前記人感知センサーが反応しなくなってからの時間を計測し、予め設定された時間経過したときに前記制御部が前記告知部を作動させ、前記告知部は、前記住人が居住する家屋の窓等の屋内側に設置されることを要旨としている。
【０００８】  プライバシー保護を考慮して、前記告知手段は、作動したときのみ連絡先の情報を表示し、前記告知手段が作動していない際は情報が表示されないよう構成されていることが望ましい。
【０００９】  また、前記告知手段は、異変のない通常時の安心表示手段および異常が発生した際の異常発生表示手段の両方を備えていることが好適である。
【考案の効果】
【００１０】  本考案による生活異変告知装置は、人感知センサーを居間等の普段生活する空間に設置し、告知部を例えば窓の内側に外に向けて設置しておくことにより、住人が病気などによって動けなくなった際に、人感知センサーが感知しなくなったときに告知部によって表示することができる。このとき、連絡相手や電話番号などを表示しておけば、定期的または不定期に訪問する民生委員や近所の人、或いは郵便、新聞配達者が家に入らずに異変を察知することができる。また、上記の情報はプライバシーに関するものであるため、常時視認できることは好ましくない。そこで、告知部が作動している時のみ、例えば電光掲示などにより情報が視認できるようにすれば、プライバシー保護ができる。さらに、住人に異常が無く人感知センサーが常時作動しているときは、それを示す安心表示手段を設けておけば、訪問した人が異常のないことを確認することができる。また、この安心表示手段が点灯してれば生活異変告知装置自体が動作していることも確認できる。
【考案を実施するための最良の形態】
【実施例】
【００１１】  以下、図面に基づいて本考案の好適な実施例について説明する。図１に本考案による生活異変告知装置の構成を示す。本装置は、人感知センサー１、タイマー回路を含む制御部２、告知部３、及び、電源装置４からなる。制御部２には、人感知センサー１及び告知部３が接続されている。電源装置４はＡＣ−ＤＣコンバータが内蔵され、家庭用コンセントに接続することにより、ＡＣ１００Ｖを例えばＤＣ５Ｖに変換する。このＡＣ−ＤＣコンバータとしては、一般に市販のコンバータが使用される。なお、電源装置４には、停電時のために乾電池等による補助電源を設けておくことが望ましい。【００１２】  人感知センサー１は、市販の赤外線センサーを利用することができる。この人感知センサー１は住人１０の動きを感知し、住人１０が動いたときに感知信号を発生する。この人感知センサー１は制御部２に接続されている。制御部２にはタイマー回路が設けられ、人感知センサー１から感知信号が入力されなくなったときに作動を開始するように構成されている。タイマー回路は、切り換えによって例えば、１０，２０，３０，４０時間等に設定することができる。【００１３】  告知部３は制御部２に接続され、住人１０の動作状態を告知している。告知部３には安心表示灯３ａ、異常発生表示灯３ｂ及び連絡先表示部３ｃが設けられている。安心表示灯３ａとしては、青や緑等の色彩の発光ダイオード、異常発生表示灯３ｂは、赤等の色彩の発光ダイオードが用いられる。また、連絡先表示部３ｃとしては、発光ダイオード等による電光掲示、或いは表示パネルを内側からランプによりバックライト照明するなどの方法を用いることができる。一方、連絡先表示部３ｃは、図２に示す訪問者１１に連絡してもらいたい連絡先として、親戚、自治体、民生委員、病院等の電話番号や住所等を表示しておくことが望ましい。【００１４】  また、本装置にはセンサー感知による告知作動の他に、告知作動スイッチ５を設け、このスイッチを押すことにより手動で告知部３を作動させるようにしてもよい。このスイッチ５を設けることにより、住人が自分で具合が悪いと感じた際に、その異常を知らせることが可能となる。【００１５】  上述した告知部３は、図２に示すように、住人１０が居住する家屋６の窓７の屋内側に設置する。窓７は、透明ガラスが好ましく、告知部３の安心表示灯３ａ、異常発生表示灯３ｂ及び連絡先表示部３ｃが透明ガラスを透過して目視できるようにしている。告知部３を設置する場所は、建設時から家屋６に設けられた窓７の他、風雨及び盗難から防御可能なケースに内に設置してもよく、このケースにおいても窓が設けられ、外部から目視可能に設置される。なお、窓は、玄関用ドアに設けられた窓であってもよく、窓の種類や大きさは問わない。【００１６】  次に動作を説明する。まず、電源装置４を家庭用コンセントに接続する。この接続によって、制御部２に例えばＤＣ５Ｖの電源が供給される。制御部２は、電源が供給されたときにタイマー回路等がリセットされるリセット回路が設けられていて、コンセントへの接続によって動作が開始する。制御部２が動作することにより人感知センサー１が作動し、人感知センサー１から信号が入力されるとタイマー回路がリセットされ、告知部３には安心表示灯３ａの点灯する。すなわち、人感知センサー１が設置された範囲において住人１０が移動している間は、都度タイマー回路がリセットされるので、安心表示灯３ａの点灯が継続される。【００１７】  住人１０が病気などによって動けなくなった際には、人感知センサー１が住人１０の移動を感知しないため、人感知センサー１の出力が長時間停止する。この場合は、制御部２のタイマー回路が作動し、予め設定された１０，２０，３０，４０時間を越えたときに、安心表示灯３ａを消灯するとともに、異常発生表示灯３ｂを点灯させる。また、連絡先表示部３ｃを設けた場合には、電光掲示用の発光ダイオード等の点灯、或いは、バックライト照明用のランプが点灯される。【００１８】  一人住まいの住人１０が居住する家屋には、民生委員や近所の人、或いは郵便、新聞配達者等の訪問者１１が定期的または不定期に訪問する。このとき、異常発生表示灯３ｂが点灯しているときに、訪問者１１は住人１０に何らかの異常が生じたことを、その屋内に入らなくても住人１０の安否が察知される。そして、民生委員や近所の人などの場合は、住人１０に対してしかるべき所定の処置が施される。一方、郵便、新聞配達者等の訪問者１１の場合は、連絡先表示部３ｃの表示内容を見て、その表示に従って電話等により連絡される。【００１９】  以上、本考案の好適な実施例について説明したが、本考案の精神を逸脱しない範囲において多くの改変をなし得ることは言うまでもない。
【産業上の利用可能性】
【００２０】  本考案は、住人の異変を家外の訪問者に知らせることができる生活異変告知装置に適用される。
【図面の簡単な説明】
【００２１】
【図１】本考案による生活異変告知装置の構成を示すブロック図である。
【図２】生活異変告知装置の設置状態を示す説明図である。
【符号の説明】
【００２２】  １      人感知センサー
２      制御部
３      告知部
３ａ    安心表示灯
３ｂ    異常発生表示灯
３ｃ    連絡先表示部
４      電源装置
５      告知作動スイッチ
６      家屋
７      窓
１０    住人
１１    訪問者
【図１】
0003155936.tif 000003
【図２】
0003155936.tif 000004